(57)【要約】【課題】  粒状部材が充填された停弾装置における、弾丸の分別回収に要する時間を短縮する。【解決手段】  銃器による実弾射撃訓練に使用され、標的の後方に設置されて弾丸を捕捉するチップ７が支持面１４ｂの上に層をなして堆積された停弾層を備えてなる停弾装置であって、前記支持面１４ｂの、弾丸が集中して入射する集中被弾領域の上方に、チップ７の下方への移動を抑止する移動抑止手段を設ける。移動抑止手段は、長手方向に延在する圧縮面を備え、長手方向軸線を水平方向にし前記圧縮面を前記停弾層表面に当接させて載置される断面コの字形の圧縮部材１７と、前記支持面１４ｂに起倒可能に固着され、圧縮部材１７を前記支持面１４ｂに向かって付勢し、前記圧縮面と支持面１４ｂの間のチップ７を締め付けるシャフト１５およびナット１８とを含んで構成されている。【選択図】        図１
2005188894.tif 000002
【特許請求の範囲】
【請求項１】
銃器による実弾射撃訓練に使用され、標的の後方に設置されて弾丸を捕捉する粒状部材が層をなして堆積された停弾層を備えてなる停弾装置であって、弾丸が集中して入射する集中被弾領域の上方で前記停弾層を形成する粒状部材の下方への移動を抑止する移動抑止手段を有してなる停弾装置。
【請求項２】
請求項１に記載の停弾装置において、前記停弾層の標的側の表面は着脱可能なカバーで覆われており、このカバーは、前記集中被弾領域を覆う部分とそれ以外の領域を覆う部分が別体で分離可能に形成されていることを特徴とする停弾装置。
【請求項３】
請求項１または２に記載の停弾装置において、前記停弾層は、傾斜した支持面上に層をなして堆積された粒状部材を有してなり、前記移動抑止手段は、長手方向に延在する圧縮面を備え、長手方向軸線を水平方向にし前記圧縮面を前記停弾層表面に当接させて載置される圧縮部材と、この圧縮部材を前記支持面に向かって付勢し、前記圧縮面と支持面の間の粒状部材を締め付ける固定部材とを含んで構成されていることを特徴とする停弾装置。
【請求項４】
請求項１または２に記載の停弾装置において、前記停弾層は、傾斜した支持面上に層をなして堆積された粒状部材を有してなり、前記移動抑止手段は、前記支持面上に、長手方向の一方の辺が水平軸のまわりに回動可能に枢着されて水平方向に延在するせき板部材と、このせき板部材を前記水平軸のまわりに回動させる回動手段とを含んで構成されていることを特徴とする停弾装置。
【発明の詳細な説明】
【技術分野】
【０００１】
本発明は、実弾射撃訓練場に設置される、内部に弾丸の運動エネルギーを停止するためのチップ、土砂等の粒状部材が充填された停弾装置に係り、特に、充填された粒状部材の中から弾丸を取り出す作業を短縮する点に配慮した停弾装置に関する。
【背景技術】
【０００２】
従来、実弾射撃訓練では、図１４及び図１５に示す如く射撃手１が標的２に向かって銃器３（拳銃、小銃、機関銃等）を用いて弾丸４を発射する。発射された弾丸４は標的２を貫通もしくは標的２付近を通過後図１４の表面ラバー５を取り付けた停弾装置６の内部に充填された粒状部材７及び図１５の山積みされた粒状部材７に入り込むことによりその運動エネルギーを失い停止する。
【０００３】
射撃された弾丸が停弾装置内部に蓄積され続けると、射撃された弾丸が、弾丸の運動エネルギーを停止させるための粒状部材ではなく、停弾装置内部に蓄積されている弾丸に命中し跳弾を発生する場合が生ずる。このため、図１６に示すように、作業員８により、停弾装置６の内部に充填された粒状部材を掻き分けながら１発ずつ弾丸のみを探して取り出したり、図１７に示すように、充填された粒状部材を取り出し、取り出した粒状部材の中から弾丸のみを分別回収した後粒状部材のみを元通りに戻したりしていた。また、図１８に示す如く、コンプレッサー９からの搬送空気をエジェクター１０に送り込み、吸引口１１に負圧を発生させる弾丸分別機を用い、粒状部材のみを吸引して、吸引されず残った弾丸を手で拾って回収していた。
【０００４】
特許文献１には、発射された弾丸を堆積した粒状部材で捕捉する停弾装置において、射手側の面は弾性膜材とし、この弾性膜材と停弾装置後面のケーシングの間に前記粒状部材を充填し、弾性膜材と停弾装置後面のケーシングの間に介装されて上下方向に延びる複数の支持部材で弾性膜材と停弾装置後面のケーシングを固定したものが開示されている。
【０００５】
特許文献２には、四角柱状のバックストップ枠体に正面に減速材を備えた防弾膜を簾状に着脱自在に設けるとともに、減速材を備えた防弾膜を四角柱状の前記バックストップ枠体の両側面、天井面に着脱自在に配置したバックストップが開示されている。拳銃等から発射された弾丸の速度を前記防弾膜で減速させ、弾丸を大きく変形させることなく貫通させないで回収する。
【０００６】
特許文献３には、フレームと、該フレームを覆う表面層と、該表面層の内側に充填された、取り出し可能なチップ状の弾粘性部材の重点層からなる停弾装置が開示されている。
【０００７】
特許文献４には、停弾装置に堆積された停弾用の粒状部材の底面をベルトコンベヤーで支持し、粒状部材をベルトコンベヤーで移送しながら空気流を吹き付けて銃弾と粒状部材を分別する装置が開示されている。
【０００８】
【特許文献１】特開２００２-３１８０９７号公報
【特許文献２】特開２００２-１３９３００号公報
【特許文献３】特開２００２-６２０９５号公報
【特許文献４】特許１８１２５６１
【発明の開示】
【発明が解決しようとする課題】
【０００９】
射撃訓練では射撃手１の位置及び標的２の位置は殆ど変わらず、また射撃は標的２を狙って行われるから、射撃された弾丸は、図１９及び図２０に示す如く、殆ど銃器３と標的２の外縁を結ぶ線が停弾装置表面と交差する点で囲まれる集中被弾部（集中被弾領域）１３に集中し、停弾装置のそれ以外の領域（被弾部１２）に着弾する弾丸の量は限られている。
【００１０】
しかし、前記図１６〜図１８に示すように、弾丸の分別回収手順では、集中被弾部１３、被弾部１２の区別なく、弾丸回収作業を行っていたために弾丸回収時間を多く費やしていた。これはひとつには、集中被弾部１３の粒状部材を弾丸分別のために取り出すと、上方の粒状部材がずれ落ちてくるため、上方の粒状部材全体も合わせて取り出さざるを得ないという理由がある。
【００１１】
特許文献４記載の装置では、回収のための作業員は少なくて済むものの、設備費がかさみ、運転コストも大きい。
【００１２】
特許文献１記載のものでは、上下方向に配置された支持部材で粒状部材が充填される区画を複数に区画した例が示されているが、前記集中被弾部の粒状部材のみを取り出せるようにはなっておらず、充填された粒状部材全体を対象に弾丸を探索する必要があり、それだけの時間が必要になる。
【００１３】
特許文献２のものは粒状部材を用いたものではなく、特許文献３に開示されたものも、集中被弾部と被弾部を区別して粒状部材中の弾丸を探索するようにはなっておらず、充填された粒状部材全体を対象に弾丸を探索する必要があり、それだけの時間が必要になる。
【００１４】
本発明の課題は、粒状部材が充填された停弾装置における、弾丸の分別回収に要する時間を短縮するにある。
【課題を解決するための手段】
【００１５】
前述のように、標的の後方付近、つまり集中被弾領域に弾丸が集中するから、前記集中被弾領域についてのみ、粒状部材中に混在する弾丸の分別回収を行えるようにすれば弾丸回収時間を短縮することが可能となる。
【００１６】
すなわち、前記課題を解決するための本発明は、銃器による実弾射撃訓練に使用され、標的の後方に設置されて弾丸を捕捉する粒状部材が層をなして堆積された停弾層を備えてなる停弾装置であって、弾丸が集中して入射する集中被弾領域の上方で前記停弾層を形成する粒状部材の下方への移動を抑止する移動抑止手段を有してなる停弾装置である。
【００１７】
弾丸が集中して入射する集中被弾領域の上方で前記停弾層を形成する粒状部材の下方への移動を抑止することにより、集中被弾領域の粒状部材だけを取り出しても、上方の粒状部材がずれ落ちてこないから、集中被弾領域のみについて弾丸の分別回収を行うことが可能になる。
【００１８】
上記停弾装置において、前記停弾層の標的側の表面を着脱可能なカバーで覆い、このカバーの、前記集中被弾領域を覆う部分とそれ以外の領域を覆う部分を別体で分離可能に形成することが望ましい。こうすれば、弾丸の回収を行う集中被弾領域を覆うカバーを取り外すだけで集中被弾領域の弾丸回収を行うことができる。
【００１９】
上記停弾装置において、前記停弾層が、傾斜した支持面上に層をなして堆積された粒状部材を有してなる場合、前記移動抑止手段は、長手方向に延在する圧縮面を備え、長手方向軸線を水平方向にし前記圧縮面を前記停弾層表面に当接させて載置される圧縮部材と、この圧縮部材を前記支持面に向かって付勢し、前記圧縮面と支持面の間の粒状部材を締め付ける固定部材とを含んで構成することができる。射撃訓練が終了して弾丸の回収を行う場合、集中被弾領域を覆うカバーを取り外し、集中被弾領域の直上部の停弾層表面に載置される。この圧縮部材が固定部材により圧縮部材を前記支持面に向かって付勢されることにより、前記圧縮面と支持面の間の粒状部材が締め付けられる。締め付けられた粒状部材は相互間の摩擦が大きくなって下方にずれおちなくなり、したがって、それより上方の粒状部材も下方にずれおちなくなり、集中被弾領域のみについて弾丸の分別回収を行うことが可能になる。
【００２０】
前記停弾層が、傾斜した支持面上に層をなして堆積された粒状部材を有してなっている場合、前記移動抑止手段は、前記支持面上に、長手方向の一方の辺が水平軸のまわりに回動可能に枢着されて水平方向に延在するせき板部材と、このせき板部材を前記水平軸のまわりに回動させる回動手段とを含んで構成してもよい。射撃訓練が終了して弾丸の回収を行う場合、集中被弾領域を覆うカバーを取り外し、支持面に平行になっていた背聞いた部材を、回動手段により回動させて支持面と直角になるようにする。このようにすることで上方にある粒状部材は下方にずれ落ちようとしてもせき板部材にせき止められ、下方にずれ落ちることがなくなる。したがって、集中被弾領域のみについて弾丸の分別回収を行うことが可能になる。
【発明の効果】
【００２１】
本発明によれば、停弾装置に射撃された弾丸の回収エリアを限定できるから、粒状部材が充填された停弾装置における、弾丸の分別回収に要する時間の短縮が可能になる。
【発明を実施するための最良の形態】
【００２２】
（実施例１）
本発明の実施例１を図面を参照して説明する。本発明の実施例１に係る停弾装置を図５に示す。図５は本発明の実施例１に係る停弾装置を実弾射撃訓練場内に設置した状態の全体的な構成を示す。本実施例では粒状部材としてチップ７を用いた。
【００２３】
図５に示すように、本実施例に係る停弾装置は、標的２の後方に設置され、傾斜面をなしてチップ７を支持する支持面１４ｂと、この支持面１４ｂの上方に結合されてチップ７を収容する垂直部をなす支持部１４ａと、前記支持面１４ｂに層状に堆積されて停弾層を形成するチップ７と、前記支持部１４に充填され堆積状態を保持されたチップ７と、前記停弾層の表面に取り付けられた着脱可能なカバーである表面ラバー５と、図示されていない移動抑止手段とを含んで構成されている。
【００２４】
本実施例では弾丸の回収は弾丸が集中する集中被弾領域のみ行うため、表面ラバー５を分割方式として、図６、図７に示すように、弾丸を回収するエリアのみを取り外すことも可能としてある。分割方式を採用する表面ラバー５は、各々マジックテープ、ファスナー、ボタン等で継ぎ合わせることで表面ラバーの着脱を容易に行うことができる。これにより、取り扱う表面ラバー１枚の重量が軽減されるとともに長さも短くなって、取り扱い易くなり、作業者の負担を軽減することができた。
【００２５】
なお、本明細書では、集中被弾領域は、図１９、図２０に示されているように、弾丸を発射する銃器の銃口と標的の外縁を結ぶ直線の延長線が停弾装置表面と交差する交点で囲まれた領域とする。標的の位置は通常固定され、弾丸を発射する銃器の銃口位置は射撃手により多少変化するものの大きな差異はないと考えてよいから、集中被弾領域もほぼ決まった領域と考えられる。
【００２６】
停弾装置に射撃された弾丸を回収する際には、表面ラバー５を停弾装置から取り外してチップ表面が視認可能となった状態から前記移動抑止手段を作動状態とし、作業員が手で拾い回収あるいは弾丸分別装置により弾丸回収作業を行う。
【００２７】
以下、移動抑止手段につき説明する。移動抑止手段は、長手方向に延在する圧縮面を備え、長手方向軸線を水平方向にし前記圧縮面を前記停弾層表面に当接させて載置される断面コの字形の圧縮部材１７と、この圧縮部材１７を前記支持面１４ｂに向かって付勢し、前記圧縮面と支持面１４ｂの間のチップ７を締め付ける固定部材であるシャフト１５およびナット１８とを含んで構成されている。
【００２８】
図２に支持部１４ａと支持面１４ｂの断面及び支持面１４ｂに装着されたシャフト１５の詳細を示す。シャフト１５は一端を支持面１４ｂに水平軸を中心に回動可能に枢着され、他端部には前記ナット１８が螺合する雄ねじが形成されている。図２ではシャフト１５は１本だけ図示してあるが、停弾装置の支持面の、前記集中被弾領域の直上、すなわち、集中被弾領域を覆う表面ラバー５が取り外された状態で露出した停弾層の最上部に相当する位置に、水平方向に分散して複数本、設置されている。シャフト１５は、チップ７を堆積する前に、図２に示すように、支持面１４ｂの傾斜面に接した状態（横たえられた状態）にしておくことで、弾丸が進入不可能な厚みで堆積されたチップにより直接被弾することを防ぐことが可能である。
【００２９】
図１に、圧縮部材１７をシャフト１５に取り付けた状態を示す。集中被弾領域の表面ラバー５が取り外されたら、図１に示すように、シャフト１５を支持面１４ｂの傾斜面に沿った状態から支持面１４ｂに垂直になるようにチップ７の中から抜き出して回動させ、ネジ加工等を施した部分をチップ７の表面から突出させる。次いで圧縮部材１７を停弾層の表面に載置してシャフト１５に係合させる。本実施例では、前述のように、圧縮部材１７は断面コの字形の鋼製部材で、コの字形の底辺（相対する２辺を連結する辺）部分に前記シャフト１５が貫通する開孔が設けられており、該底辺の内面（圧縮面）がチップ７に当接するように、かつシャフト１５を前記開孔に挿通させて長手方向を水平方向にして停弾層の表面に載置される。シャフト１５の圧縮部材１７を挿通した箇所にナット１８がねじ込まれ、締め付けられる。圧縮部材１７はシャフト１５に螺合するナット１８によって支持面１４ｂに向かって付勢され、圧縮面と支持面１４ｂの間のチップ７を締め付ける。シャフト１５はチップ７を圧縮する際に発生する圧縮部材１７に加わる反力に耐えうる材質、軸径、ネジ強度、本数等を有している。締め付けられたチップ７は、チップ相互間の摩擦が増大するため、その下方のチップ７がなくなっても下方にずれ落ちない。
【００３０】
この状態で、図３に示すように、エジェクター１０を用いて集中被弾領域のチップ７を吸い込み、弾丸を分別回収する。集中被弾領域のチップ７がエジェクター１０に吸い込まれてなくなっても、圧縮部材１７で締め付けられたチップ７及びその上方のチップ７は空になった集中被弾領域にずれ落ちることがなく、集中被弾領域のチップ７だけについて弾丸の分別回収が可能である。
【００３１】
集中被弾領域について弾丸の分別回収が終了したら、図４に示すように、ナット１８を緩めて圧縮部材１７を取り外し、シャフト１５を支持面１４ｂに沿うように倒す。圧縮部材１７を取り外すと、上方のチップ７が下方の集中被弾領域にずれ落ちてくる。次いで取り外してあった表面ラバー５を元のように復旧する。その後、エジェクター１０を用いて弾丸分別済みのチップ７を、支持部１４ａの上方から、充填する。
【００３２】
停弾装置の集中被弾領域のみ弾丸を回収する場合、集中被弾領域の弾丸が混在したチップを抜き取ると、その上方及び周辺の集中被弾領域以外のチップが集中被弾領域に崩れ、混ざりが起こる。このため本実施例では集中被弾領域上方のチップを圧縮・せき止めることにより集中被弾領域以外のチップが集中被弾領域に混ざらなくすることが可能となる。
【００３３】
上述のように、集中被弾領域のみについて弾丸を回収することで、弾丸回収時間の短縮が可能となる。
【００３４】
（実施例２）
次に、図８、図９を参照して本発明の実施例２を説明する。実施例２が前記実施例１と異なるのは、固定部材として、シャフト１５及びナット１８に代えて、ワイヤロープ１６及びウインチ１９を用いる点である。他の構成は前記実施例１と同じであるので、同一の符号を付し、説明は省略する。ワイヤロープ１６は、その一端が支持面１４ｂに回動可能に枢着され、通常時（弾丸回収時以外の時）は、図９に示すように、支持面１４ｂの傾斜面上に横たえられている。シャフト１５の場合と同様に、チップを支持面１４ｂに堆積する前に支持面１４ｂの傾斜面に接した状態にしておくことで、弾丸が進入不可能な厚みで堆積されたチップにより直接被弾することを防ぐことが可能である。
【００３５】
弾丸回収を行う場合は、実施例１の場合と同様に、集中被弾領域の表面ラバー５が取り外された後、図８に示すように、ワイヤロープ１６を支持面１４ｂの傾斜面に沿った状態から支持面１４ｂに垂直になるようにチップ７の中から抜き出して回動させ、ワイヤロープ１６の端部をチップ７の表面から突出させる。次いで圧縮部材１７を停弾層の表面に載置してワイヤロープ１６に係合させる。圧縮部材１７は前述のように、断面コの字形の鋼製部材で、コの字形の底辺（相対する２辺を連結する辺）部分に前記ワイヤロープ１６が貫通する開孔が設けられており、該底辺の内面（圧縮面）がチップ７に当接するように、かつワイヤロープ１６を前記開孔に挿通させて長手方向を水平方向にして停弾層の表面に載置される。圧縮部材１７のワイヤロープ１６を挿通した箇所にウインチ１９が取り付けられ、ワイヤロープ１６がウインチ１９に巻き込まれ、締め付けられる。圧縮部材１７はウインチ１９に巻き込まれるワイヤロープ１６によって支持面１４ｂに向かって付勢され、圧縮面と支持面１４ｂの間のチップ７を締め付ける。ワイヤロープ１６はチップ７を圧縮する際に発生する圧縮部材１７に加わる反力に耐えうる材質、線径、本数等を有している。締め付けられたチップ７は、チップ相互間の摩擦が増大するため、その下方のチップ７がなくなっても下方にずれ落ちない。
【００３６】
あとの手順は前記実施例１と同様である。本実施例ではワイヤロープ１６を用いたが、ワイヤロープに代えて、ロープ、ピアノ線等を用いた固定手段としてもよい。
【００３７】
（実施例３）
次に図１０、図１１を参照して実施例３を説明する。実施例３が前記実施例１と異なるのは、シャフト１５は支持面１４ｂに固定されておらず、支持面１４ｂの裏面に、シャフト１５が挿通される孔を備えたガイド２０が前記孔の軸線を支持面１４ｂの傾斜面に垂直にして固着され、シャフト１５の頭部がガイド２０の前記孔よりも大きくしてある点である。他の構成は実施例１と同じなので同一の符号を付して説明を省略する。
【００３８】
本実施例では、集中被弾領域の表面ラバー５が取り外されたら、シャフト１５は支持面１４ｂの裏面からガイド２０の孔に挿通され、雄ねじを備えた部分が停弾層の表面上に突出する。その後の手順は前記実施例１と同様であるので、説明は省略する。本実施例は、図１０に示すように、支持面１４ｂの裏面側に作業員８が入ることが可能な場合に適用できる。
【００３９】
（実施例４）
本実施例は、粒状部材として土砂を停弾層に用いた停弾装置に本発明を適用した例である。本実施例が前記実施例１と異なるのは、移動抑止手段として、固定手段及び圧縮部材に代えて、前記支持面１４ｂ上に、長手方向の一方の辺が水平軸のまわりに回動可能に枢着されて水平方向に延在する平板状のせき板部材である可動式傾斜面２１と、この可動式傾斜面２１を前記水平軸のまわりに回動させる回動手段とを備えたものである。他の構成は実施例１と同じなので同一の符号を付して説明を省略する。
【００４０】
回動手段は、支持部１４ａの後壁内面（標的に対向する側の面）に配置された複数の滑車２２と、支持部１４ａの頂部に設置されるウインチ２０と、一端を可動式傾斜面２１の自由端側（枢着側でない側）の辺に固着され、他端を前記複数の滑車２２及び支持部１４ａの頂部に形成された開孔を経て支持部１４ａの頂部よりも上に伸ばしたワイヤロープ２４とを含んで構成されている。
【００４１】
可動式傾斜面２１の設置位置は、可動式傾斜面２１を支持面１４ｂに垂直になるように回動させたとき、可動式傾斜面２１の自由端側の位置が、集中被弾領域の直上、集中被弾領域の表面ラバー５を取り外した状態で露出した停弾層の最上部になる位置としてある。
【００４２】
図１２に示すように、ワイヤロープ２４を可動式傾斜面２１に固定して土砂を堆積する前に支持面１４ｂの傾斜面に接した状態にしておき且つ弾丸が進入不可能な位置に設置された滑車２２の溝に通して弾丸が殆んど射撃されることのない停弾装置上方等に土砂を堆積後突出させておく。弾丸回収作業を行う場合、図１３に示すように、ウインチ２０を支持部１４ａの頂部に設置し、弾丸回収を行う集中被弾領域の表面ラバー５を取り外した後、前記ワイヤロープ２４をウインチ２０で巻き取る。
【００４３】
これにより、可動式傾斜面２１を停弾装置の傾斜面に対して起き上がらせて土砂が流れ落ちない角度とすることが可能となり、土砂をせき止めて、チップからなる停弾層を備えた停弾装置同様、集中被弾領域のみの弾丸回収作業が可能となる。
【図面の簡単な説明】
【００４４】
【図１】本発明の実施例１に係る移動抑止手段の設置状態を示す断面図である。
【図２】本発明の実施例１に係る固定部材の設置状態を示す断面図である。
【図３】本発明の実施例１に係る弾丸回収作業の例を示す概念図である。
【図４】本発明の実施例１に係る弾丸回収作業後のチップ再充填作業の例を示す概念図である。
【図５】本発明の実施例１に係る停弾装置の全体的な構成を示す斜視図である。
【図６】図５に示す実施例で表面ラバーの一部をとりはずした例を示す斜視図である。
【図７】図５に示す実施例で集中被弾領域の表面ラバーの一部をとりはずした例を示す斜視図である。
【図８】本発明の実施例２に係る移動抑止手段の設置状態を示す断面図である。
【図９】本発明の実施例２に係る固定部材の設置状態を示す断面図である。
【図１０】本発明の実施例３に係る移動抑止手段の設置状態を示す断面図である。
【図１１】本発明の実施例３に係る移動抑止手段の部分の詳細を示す断面図である。
【図１２】本発明の実施例４に係る移動抑止手段の設置状態を示す断面図である。
【図１３】本発明の実施例４に係る移動抑止手段の作動状態を示す断面図である。
【図１４】実弾射撃訓練場における射撃訓練及び停弾装置の斜視図である。
【図１５】実弾射撃訓練場における射撃訓練及び停弾装置の斜視図である。
【図１６】従来の実弾射撃訓練場における停弾装置内部に射撃された弾丸の回収作業の例を示す斜視図である。
【図１７】従来の実弾射撃訓練場における停弾装置内部に射撃された弾丸の回収作業の他の例を示す斜視図である。
【図１８】従来の実弾射撃訓練場における停弾装置内部に射撃された弾丸の回収作業のさらに他の例を示す斜視図である。
【図１９】実弾射撃訓練場における停弾装置に射撃された弾丸の被弾部と集中被弾部を示す斜視図である。
【図２０】実弾射撃訓練場における停弾装置に射撃された弾丸の被弾部と集中被弾部の他の例を示す斜視図である。
【符号の説明】
【００４５】
１  射撃手
２  標的
３  銃器
４  弾丸
５  表面ラバー
６  停弾装置
７  チップ
８  作業員
９  コンプレッサー
１０  エジェクター
１１  吸引口
１２  被弾部
１３  集中被弾部
１４ａ  支持部
１４ｂ  支持面
１５  シャフト
１６  ワイヤロープ
１７  圧縮部材
１８  ナット
１９  ウインチ
２０  ガイド
２１  可動式傾斜面
２２  滑車
２３  ウインチ
２４  ワイヤロープ
【図１】
2005188894.tif 000003
【図２】
2005188894.tif 000004
【図３】
2005188894.tif 000005
【図４】
2005188894.tif 000006
【図５】
2005188894.tif 000007
【図６】
2005188894.tif 000008
【図７】
2005188894.tif 000009
【図８】
2005188894.tif 000010
【図９】
2005188894.tif 000011
【図１０】
2005188894.tif 000012
【図１１】
2005188894.tif 000013
【図１２】
2005188894.tif 000014
【図１３】
2005188894.tif 000015
【図１４】
2005188894.tif 000016
【図１５】
2005188894.tif 000017
【図１６】
2005188894.tif 000018
【図１７】
2005188894.tif 000019
【図１８】
2005188894.tif 000020
【図１９】
2005188894.tif 000021
【図２０】
2005188894.tif 000022